(57)【要約】  本実施形態では、第一方向に並ぶ複数の蓄電素子と、蓄電素子間に挟まれる隣接部材と、蓄電素子及び隣接部材を保持する保持部材と、蓄電素子と保持部材との間に挟まれる絶縁部材と、バスバと、バスバを保持し、複数の蓄電素子に沿って配置されるバスバ保持部材と、を備え、バスバ保持部材は、弾性変形部を有し、弾性変形部は、隣接部材及び絶縁部材の一方に当接して、バスバ保持部材を隣接部材及び絶縁部材の他方に押し付けることを特徴とする。
2019245022.tif 000002
【特許請求の範囲】
【請求項１】
第一方向に並ぶ複数の蓄電素子と、
前記複数の蓄電素子のうちの隣り合う二つの蓄電素子の間に挟まれる隣接部材と、
前記複数の蓄電素子及び前記隣接部材を保持する保持部材と、
前記複数の蓄電素子と前記保持部材との間に挟まれる絶縁部材と、
蓄電素子の外部端子を電気的に接続するバスバと、
前記バスバを保持し、前記複数の蓄電素子に沿って配置されるバスバ保持部材と、を備え、
前記バスバ保持部材は、弾性変形部を有し、
前記弾性変形部は、前記隣接部材及び前記絶縁部材の一方に当接して、前記バスバ保持部材を前記隣接部材及び前記絶縁部材の他方に押し付ける、蓄電装置。
【請求項２】
前記隣接部材は、凸部を有し、
前記弾性変形部は、前記凸部の前記第一方向の側方に位置することにより前記バスバ保持部材の前記第一方向の移動を規制する第一規制部を有する、請求項１に記載の蓄電装置。
【請求項３】
前記隣接部材は、凸部を有し、
前記弾性変形部は、前記バスバと前記蓄電素子とが並ぶ方向であり且つ前記第一方向と直交する方向である第二方向において前記凸部の側方に位置することにより前記バスバ保持部材の前記第二方向の移動を規制する第二規制部を有する、請求項１又は２に記載の蓄電装置。
【請求項４】
前記隣接部材は、前記隣り合う二つの蓄電素子の間に位置する本体部と、前記本体部の周縁から延びる延設部と、を有し、
前記凸部は、前記延設部に配置され、
前記弾性変形部は、前記壁部に当接して、前記バスバ保持部材を前記隣接部材に押し付ける、請求項２又は３に記載の蓄電装置。
【請求項５】
第一方向に並ぶ複数の蓄電素子と、
前記複数の蓄電素子のうちの隣り合う二つの蓄電素子の間に挟まれる隣接部材と、
前記複数の蓄電素子及び前記隣接部材を保持する保持部材と、
前記複数の蓄電素子と前記保持部材との間に挟まれる絶縁部材と、
蓄電素子の外部端子を電気的に接続するバスバと、
前記バスバを保持し、前記複数の蓄電素子に沿って配置されるバスバ保持部材と、を備え、
前記隣接部材は、弾性変形部を有し、
前記弾性変形部は、前記バスバ保持部材に当接して、該バスバ保持部材を前記絶縁部材に押し付ける、蓄電装置。
【請求項６】
第一方向に並ぶ複数の蓄電素子と、
前記複数の蓄電素子のうちの隣り合う二つの蓄電素子の間に挟まれる隣接部材と、
前記複数の蓄電素子及び前記隣接部材を保持する保持部材と、
前記複数の蓄電素子と前記保持部材との間に挟まれる絶縁部材と、
蓄電素子の外部端子を電気的に接続するバスバと、
前記バスバを保持し、前記複数の蓄電素子に沿って配置されるバスバ保持部材と、を備え、
前記絶縁部材は、弾性変形部を有し、
前記弾性変形部は、前記バスバ保持部材に当接して、該バスバ保持部材を前記隣接部材に押し付ける、蓄電装置。
【発明の詳細な説明】
【関連出願の相互参照】
【０００１】
本願は、日本国特願２０１８-１１９０２３号の優先権を主張し、日本国特願２０１８-１１９０２３号の内容は、引用によって本願明細書の記載に組み込まれる。
【技術分野】
【０００２】
本発明は、バスバを保持するバスバ保持部材を備える蓄電装置に関する。
【背景技術】
【０００３】
従来から、複数のバッテリセルの上面にバスバプレートが組み付けられたバッテリモジュールが知られている（特許文献１参照）。【０００４】
具体的に、このバッテリモジュールは、図２２に示すように、複数のバッテリセル８０１を合成樹脂製の断面Ｈ字状の第一ホルダ８０２を間に挟んで積層するとともに、積層方向両端に位置する二個のバッテリセル８０１の積層方向外側に合成樹脂製の断面コ字状の二個の第二ホルダ８０３を積層し、締結手段で積層方向に締結して構成される。【０００５】
各バッテリセル８０１の上面にはプラス端子８０１１及びマイナス端子８０１２が設けられており、複数のバッテリセル８０１のプラス端子８０１１及びマイナス端子８０１２がバスバプレート８０５によって電気的に直列に接続される。【０００６】
このバスバプレート８０５は、平坦な枠状の部材８０６と、金属板よりなる複数のバスバ８０７とを有する。各バスバ８０７は、隣接する二個のバッテリセル８０１の積層方向に隣接するプラス端子８０１１及びマイナス端子８０１２を相互に接続する。【０００７】
枠状の部材８０６は、その中央部を長手方向（積層方向）に延びる本体部８０６１と、本体部８０６１の左右両側を平行に延びる二本の縦フレーム８０６２と、本体部８０６１及び縦フレーム８０６２を連結する複数の横フレーム８０６３とを備える。枠状の部材８０６において、本体部８０６１、縦フレーム８０６２及び横フレーム８０６３に囲まれた空間にバスバ８０７が固定される。【０００８】
各々の縦フレーム８０６２の外面に、積層方向に一定の距離で離間する複数の凸部８０６２ａが突設される。一方、各第一ホルダ８０２は、隣接するバッテリセル８０１間に挟まれる本体部８０２１と、本体部８０２１の両端から積層方向に張り出す一対のフランジ部８０２２とを備えており、各フランジ部８０２２の上部に凹部８０２２ａが形成される。【０００９】
このバッテリモジュール８００では、一対の縦フレーム８０６２に突設した左右各々複数個の凸部８０６２ａを、対応する数の第一ホルダ８０２の一対のフランジ部８０２２に形成した左右各々複数個の凹部８０２２ａに係合させることによって、バスバプレート８０５が第一ホルダ８０２に組み付けられる。【００１０】
以上のバッテリモジュール８００では、凸部８０６２ａや凹部８０２２ａの位置や大きさ等の製造誤差等によって、バスバプレート８０５が第一ホルダ８０２に対して十分に固定されず、バッテリモジュール８００に振動が加わったとき等に、バスバプレート８０５ががたつくことがある。このようにバスバ８０７が固定されているバスバプレート８０５にがたつきが生じると、バスバ８０７とバッテリセル８０１の端子８０１１、８０１２との接続部位に応力集中が発生し、これにより、バスバ８０７と端子８０１１、８０１２との接続部が損傷する場合がある。
【先行技術文献】
【特許文献】
【００１１】
【特許文献１】国際公開第２０１３／０８４９４１号公報
【発明の概要】
【発明が解決しようとする課題】
【００１２】
そこで、本実施形態は、バスバ保持部材のがたつきを抑えることができる蓄電装置を提供することを目的とする。
【課題を解決するための手段】
【００１３】
本実施形態の蓄電装置は、
第一方向に並ぶ複数の蓄電素子と、
前記複数の蓄電素子のうちの隣り合う二つの蓄電素子の間に挟まれる隣接部材と、
前記複数の蓄電素子及び前記隣接部材を保持する保持部材と、
前記複数の蓄電素子と前記保持部材との間に挟まれる絶縁部材と、
蓄電素子の外部端子を電気的に接続するバスバと、
前記バスバを保持し、前記複数の蓄電素子に沿って配置されるバスバ保持部材と、を備え、
前記バスバ保持部材は、弾性部材を有し、
前記弾性部材は、前記隣接部材及び前記絶縁部材の一方に当接して、前記バスバ保持部材を前記隣接部材及び前記絶縁部材の他方に押し付ける。
【図面の簡単な説明】
【００１４】
【図１】図１は、本実施形態に係る蓄電装置の斜視図である。
【図２】図２は、前記蓄電装置が備えるバスバ保持部材において複数の蓋部のうちの一部を外した状態の斜視図である。
【図３】図３は、前記蓄電装置においてバスバ保持部材を省略した状態の斜視図である。
【図４】図４は、前記蓄電装置の一部の構成を省略した状態の分解斜視図である。
【図５】図５は、第一隣接部材の斜視図である。
【図６】図６は、第二隣接部材の斜視図である。
【図７】図７は、第三隣接部材の斜視図である。
【図８】図８は、一対の接続部材の斜視図である。
【図９】図９は、一対のインシュレータの斜視図である。
【図１０】図１０は、接続部材とインシュレータとが重ねられた状態の断面図である。
【図１１】図１１は、図２におけるバスバ保持部材周辺の拡大図である。
【図１２】図１２は、図１１におけるＸＩＩ−ＸＩＩ位置の断面図である。
【図１３】図１３は、図１１におけるＸＩＩＩ−ＸＩＩＩ位置の断面図である。
【図１４】図１４は、弾性変形部及びその周辺の拡大斜視図である。
【図１５】図１５は、弾性変形部の弾性変形を説明するための図である。
【図１６Ａ】図１６Ａは、他実施形態に係る弾性変形部を説明するためのＺ軸方向視の図である。
【図１６Ｂ】図１６Ｂは、他実施形態に係る弾性変形部を説明するための断面図である。
【図１７Ａ】図１７Ａは、他実施形態に係る弾性変形部を説明するためのＺ軸方向視の図である。
【図１７Ｂ】図１７Ｂは、他実施形態に係る弾性変形部を説明するための断面図である。
【図１８】図１８は、他実施形態に係る弾性変形部を説明するための断面図である。
【図１９】図１９は、他実施形態に係る弾性変形部を説明するための断面図である。
【図２０】図２０は、他実施形態に係る弾性変形部を説明するための断面図である。
【図２１】図２１は、他実施形態に係る弾性変形部を説明するための断面図である。
【図２２】図２２は、従来のバッテリモジュールの分解斜視図である。
【発明を実施するための形態】
【００１５】
本実施形態の蓄電装置は、
第一方向に並ぶ複数の蓄電素子と、
前記複数の蓄電素子のうちの隣り合う二つの蓄電素子の間に挟まれる隣接部材と、
前記複数の蓄電素子及び前記隣接部材を保持する保持部材と、
前記複数の蓄電素子と前記保持部材との間に挟まれる絶縁部材と、
蓄電素子の外部端子を電気的に接続するバスバと、
前記バスバを保持し、前記複数の蓄電素子に沿って配置されるバスバ保持部材と、を備え、
前記バスバ保持部材は、弾性変形部を有し、
前記弾性変形部は、前記隣接部材及び前記絶縁部材の一方に当接して、前記バスバ保持部材を前記隣接部材及び前記絶縁部材の他方に押し付ける。
【００１６】
かかる構成によれば、バスバ保持部材と隣接部材又は絶縁部材との間隔に製造誤差等が生じていても、弾性変形部がその弾性変形によって前記製造誤差を吸収した上で、該弾性変形に起因する弾性力によって隣接部材又は絶縁部材に向けてバスバ保持部材を押圧することができる。このため、前記製造誤差の有無にかかわらず、バスバ保持部材のがたつきが抑えられる。
【００１７】
前記蓄電装置では、
前記隣接部材は、凸部を有し、
前記弾性変形部は、前記凸部の前記第一方向の側方に位置することにより前記バスバ保持部材の前記第一方向の移動を規制する第一規制部を有してもよい。
【００１８】
かかる構成によれば、バスバ保持部材が第一方向における凸部側に移動し又は移動しようとしたときに、凸部の第一規制部との当接によってバスバ保持部材の第一方向への移動が規制される。即ち、バスバ保持部材と隣接部材又は絶縁部材との間のがたつきを抑える弾性部材を利用して第一方向におけるバスバ保持部材のがたつきも抑えることができる。
【００１９】
また、前記蓄電装置では、
前記隣接部材は、凸部を有し、
前記弾性変形部は、前記バスバと前記蓄電素子とが並ぶ方向であり且つ前記第一方向と直交する方向である第二方向において前記凸部の側方に位置することにより前記バスバ保持部の前記第二方向の移動を規制する第二規制部を有してもよい。
【００２０】
かかる構成によれば、バスバ保持部材が第二方向の凸部側に移動し又は移動しようとしたときに、凸部の第二規制部との当接によってバスバ保持部材の第二方向への移動が規制される。即ち、バスバ保持部材と隣接部材又は絶縁部材との間のがたつきを抑える弾性変形部を利用して第二方向におけるバスバ保持部材のがたつきも抑えることができる。
【００２１】
前記隣接部材は、前記第二方向に延びる延設部を有し、
前記凸部は、前記延設部に配置され、
前記弾性変形部は、前記壁部に当接して、前記バスバ保持部材を前記隣接部材に押し付けてもよい。
【００２２】
かかる構成によれば、バスバ保持部材と隣接部材との間隔に製造誤差等が生じていても、弾性変形部がその弾性変形によって前記製造誤差を吸収した上で、該弾性変形に起因する弾性力によって隣接部材に向けてバスバ保持部材を押圧することができる。このため、前記製造誤差の有無にかかわらず、バスバ保持部材のがたつきが抑えられる。
【００２３】
また、本発明の蓄電装置は、
第一方向に並ぶ複数の蓄電素子と、
前記複数の蓄電素子のうちの隣り合う二つの蓄電素子の間に挟まれる隣接部材と、
前記複数の蓄電素子及び前記隣接部材を保持する保持部材と、
前記複数の蓄電素子と前記保持部材との間に挟まれる絶縁部材と、
蓄電素子の外部端子を電気的に接続するバスバと、
前記バスバを保持し、前記複数の蓄電素子に沿って配置されるバスバ保持部材と、を備え、
前記隣接部材は、弾性部材を有し、
前記弾性変形部は、前記バスバ保持部材に当接して、該バスバ保持部材を前記絶縁部材に押し付ける。
【００２４】
かかる構成によれば、バスバ保持部材と絶縁部材との間隔に製造誤差等が生じていても、弾性変形部がその弾性変形によって前記製造誤差を吸収した上で、該弾性変形に起因する弾性力によって絶縁部材に向けてバスバ保持部材を押圧することができる。このため、前記製造誤差の有無にかかわらず、バスバ保持部材のがたつきが抑えられる。
【００２５】
また、本発明の蓄電装置は、
第一方向に並ぶ複数の蓄電素子と、
前記複数の蓄電素子のうちの隣り合う二つの蓄電素子の間に挟まれる隣接部材と、
前記複数の蓄電素子及び前記隣接部材を保持する保持部材と、
前記複数の蓄電素子と前記保持部材との間に挟まれる絶縁部材と、
蓄電素子の外部端子を電気的に接続するバスバと、
前記バスバを保持し、前記複数の蓄電素子に沿って配置されるバスバ保持部材と、を備え、
前記絶縁部材は、弾性部材を有し、
前記弾性変形部は、前記バスバ保持部材に当接して、該バスバ保持部材を前記隣接部材に押し付ける。
【００２６】
かかる構成によれば、バスバ保持部材と隣接部材との間隔に製造誤差等が生じていても、弾性変形部がその弾性変形によって前記製造誤差を吸収した上で、該弾性変形に起因する弾性力によって隣接部材に向けてバスバ保持部材を押圧することができる。このため、前記製造誤差の有無にかかわらず、バスバ保持部材のがたつきが抑えられる。
【００２７】
以上の構成によれば、バスバ保持部材のがたつきを抑えることができる蓄電装置を提供することができる。
【００２８】
以下、本発明の一実施形態について、図１〜図１５を参照しつつ説明する。尚、本実施形態の各構成部材（各構成要素）の名称は、本実施形態におけるものであり、背景技術における各構成部材（各構成要素）の名称と異なる場合がある。
【００２９】
蓄電装置は、図１〜図４に示すように、それぞれが外部端子２２を有し且つ所定の方向に並ぶ複数の蓄電素子２と、異なる蓄電素子２の外部端子２２同士を導通可能に接続するバスバ６と、バスバ６を保持し、複数の蓄電素子２に沿って配置されるバスバ保持部材７と、バスバ保持部材７の少なくとも一部の両側に位置して互いに対向する一対の対向面（本実施形態の例では、外側面３６０と内側面５３２Ａ：図３参照）を含む少なくとも一つの部材（本実施形態の例では二つの部材）と、を備える。また、本実施形態の蓄電装置１において、前記一対の対向面を含む部材は、蓄電素子２と隣り合う隣接部材３と、複数の蓄電素子２に沿って配置されるインシュレータ５と、である。また、蓄電装置１は、複数の蓄電素子２を保持する保持部材４等も備える。
【００３０】
複数の蓄電素子２は、所定の方向に並ぶ。これら複数の蓄電素子２のそれぞれは、一次電池、二次電池、キャパシタ等である。本実施形態の蓄電素子２は、充放電可能な非水電解質二次電池である。より具体的には、蓄電素子２は、リチウムイオンの移動に伴って生じる電子移動を利用したリチウムイオン二次電池である。この蓄電素子２は、いわゆる角型のリチウムイオン二次電池である。
【００３１】
複数の蓄電素子２のそれぞれは、電極体と、電極体を電解液と共に収容するケース２１と、少なくとも一部がケース２１の外側に露出する外部端子２２と、を有する。
【００３２】
ケース２１は、開口を有するケース本体２１１と、ケース本体２１１の開口を塞ぐ（閉じる）板状の蓋板２１６と、を有する。本実施形態のケース本体２１１は、有底角筒状であり、ケース２１は、扁平な直方体形状である。ケース本体２１１は、矩形板状の閉塞部２１２と、閉塞部２１２の周縁に接続される筒状の胴部（周壁）２１３と、を備える。胴部２１３は、偏平な角筒形状を有する。この胴部２１３は、閉塞部２１２の周縁における長辺から延びる一対の長壁部２１４と、閉塞部２１２の周縁における短辺から延びる一対の短壁部２１５とを有する。短壁部２１５が一対の長壁部２１４の対応する端部同士をそれぞれ接続することによって、扁平な角筒状の胴部２１３が形成される。蓋板２１６は、ケース本体２１１の開口を塞ぐ矩形板状の部材である。この蓋板２１６には、一対の外部端子２２が間隔をあけて配置されている。また、蓋板２１６は、ケース２１内のガスを外部に排出可能なガス排出弁２１７を有する。ガス排出弁２１７は、ケース２１の内部圧力が所定の圧力まで上昇したときに、該ケース２１内から外部にガスを排出する。本実施形態のガス排出弁２１７は、一対の外部端子２２の間に配置される。
【００３３】
本実施形態の蓄電装置１では、複数の蓄電素子２は、ケース２１（ケース本体２１１）の長壁部２１４同士を互いに対向させた状態で並んでいる。
【００３４】
以下では、複数の蓄電素子２が並ぶ方向（第一方向）を直交座標系のＸ軸とし、ケース本体２１１の短壁部２１５が対向する方向（第三方向）を直交座標系のＹ軸とし、閉塞部２１２と蓋板２１６とが対向する方向（第二方向）を直交座標系のＺ軸とする。
【００３５】
バスバ６は、金属等の導電性を有する板状の部材であり、蓄電素子２の外部端子２２同士を導通させる。本実施形態のバスバ６は、Ｘ−Ｙ面（Ｘ軸とＹ軸とを含む面）に沿った板状のものと、Ｘ軸方向の途中位置においてＺ軸方向に向けて凸となるように湾曲させ又は屈曲させた部位を有するものとがあるが、いずれもＺ軸方向から見た輪郭形状は、矩形状である。
【００３６】
バスバ６は、蓄電装置１において複数（複数の蓄電素子２の数と対応する数）設けられる。これら複数のバスバ６は、蓄電装置１におけるＹ軸方向の一方側の端部と他方側の端部とのそれぞれにおいて、Ｘ軸方向に隣り合う外部端子２２同士を導通可能に接続する。本実施形態の蓄電装置１において、複数のバスバ６は、Ｙ軸方向の一方側の端部においてＸ軸方向に並ぶと共に、Ｙ軸方向の他方側の端部においてＸ軸方向に並んでいる。各バスバ６は、蓄電素子２の外部端子２２に溶接されている。
【００３７】
具体的に、複数のバスバ６は、Ｘ軸方向に隣り合う二つの蓄電素子２におけるＹ軸方向の一方側の端部に配置されている外部端子２２同士を接続するバスバ６と、Ｘ軸方向に隣り合う二つの蓄電素子２におけるＹ軸方向の他方側の端部に配置されている外部端子２２同士を接続するバスバ６と、を含む。これら複数のバスバ６は、蓄電装置１に含まれる複数の蓄電素子２の全てを直列に接続する（導通させる）。
【００３８】
隣接部材３は、Ｘ軸方向に隣り合う二つの蓄電素子２の間、又は、Ｘ軸方向の最も端の蓄電素子２と該蓄電素子２に対してＸ軸方向に並ぶ部材（本実施形態の例では、保持部材４の一部）との間に配置される。この隣接部材３は、樹脂等の絶縁性を有する部材によって構成される。また、隣接部材３は、隣接する蓄電素子２との間に該蓄電素子２の温度調整用の流体が流通可能な流路３５を形成する。本実施形態の流路３５は、Ｚ軸方向における隣接部材３の他方側（図４における下側）の端部位置（蓄電素子２の閉塞部２１２と対応する位置）に形成される開口３５ａから、Ｙ軸方向における隣接部材３の一方側及び他方側の端部位置（蓄電素子２の各短壁部２１５と対応する位置）に形成される開口３５ｂまで延びている。この流路３５は、長手方向の途中位置において曲がっている。尚、図１の第三隣接部材３３において、流路３５、流路３５の端部の開口３５ａ、３５ｂを示しているが、これらの構成は、第三隣接部材３３に蓄電素子２が隣接している状態のときに形成される。
【００３９】
以下では、Ｘ軸方向における蓄電装置１の略中央位置において隣り合う二つの蓄電素子２の間に配置される隣接部材３を第一隣接部材３１と称し、Ｘ軸方向の最も端の蓄電素子２の外側（本実施形態の例では、保持部材４と最も端の蓄電素子２との間）において該蓄電素子２と隣接する隣接部材３を、第二隣接部材３２と称し、Ｘ軸方向の第一隣接部材３１と第二隣接部材３２との間において、隣り合う二つの蓄電素子２の間に配置される隣接部材３を第三隣接部材３３と称することがある。
【００４０】
本実施形態の蓄電装置１では、第一隣接部材３１は、Ｘ軸方向の略中央位置の蓄電素子２間に配置され、第二隣接部材３２は、Ｘ軸方向に並ぶ複数の蓄電素子２の両外側に配置され、第三隣接部材３３は、第一隣接部材３１が配置されている蓄電素子２間を除いた蓄電素子２間のそれぞれに配置される。即ち、蓄電装置１は、一つの第一隣接部材３１と、一対の第二隣接部材３２と、複数の第三隣接部材３３と、を備える。
【００４１】
第一隣接部材３１は、図５にも示すように、Ｘ軸方向に隣り合う二つの蓄電素子２の間に位置する板状の第一本体部３１１と、第一本体部３１１に隣接する蓄電素子２の該第一本体部３１１に対する相対移動を規制する第一規制部３１２と、を有する。また、第一隣接部材３１は、第一本体部３１１の周縁から延びる第一延設部３１３等も有する。
【００４２】
第一本体部３１１は、蓄電素子２のケース２１における長壁部２１４とＸ軸方向から見て重なる部位であり、Ｙ−Ｚ面（Ｙ軸とＺ軸とを含む面）方向に広がる。第一本体部３１１は、蓄電素子２と対向する面３１１１から突出する複数の第一突条３１１２を有する。この第一突条３１１２が、第一本体部３１１と隣り合う蓄電素子２（長壁部２１４の外面）に当接することによって、蓄電素子２（長壁部２１４の外面）と面３１１１との間に隙間が形成され、この隙間が流路３５を構成する。本実施形態の第一本体部３１１では、Ｘ軸方向の一方側を向く面３１１１と他方側を向く面３１１１とのそれぞれから第一突条３１１２が突出している。尚、図５の第一隣接部材３１において、流路３５、流路３５の端部の開口３５ａ、３５ｂを示しているが、これらの構成は、第一隣接部材３１に蓄電素子２が隣接している状態のときに形成される。
【００４３】
この第一本体部３１１のＸ軸方向の寸法は、第二隣接部材３２における第一本体部３１１と対応する部位のＸ軸方向の寸法、及び第三隣接部材３３における第一本体部３１１と対応する部位のＸ軸方向の寸法より大きい。また、第一本体部３１１のＹ軸方向の両端部は、保持部材４に固定される。本実施形態の第一本体部３１１は、ボルト３１５によって保持部材４に固定される。
【００４４】
第一規制部３１２は、第一本体部３１１からＸ軸方向に延び、第一本体部３１１と隣接する蓄電素子２（詳しくはケース２１）とＹ−Ｚ面方向の外側から当接することによって該蓄電素子２の第一本体部３１１に対するＹ−Ｚ面方向への相対移動を規制する。本実施形態の第一規制部３１２は、第一本体部３１１からＸ軸方向の両側に向けてそれぞれ延びている。
【００４５】
第一延設部３１３は、第一本体部３１１のＺ軸方向の一方側（図４における上側）の端部から、Ｚ軸方向の一方側に延び且つＸ軸方向の両側に延びる。即ち、第一延設部３１３は、Ｘ−Ｚ面（Ｘ軸とＺ軸とを含む面）に沿って広がる板状の部位である。本実施形態の第一延設部３１３は、Ｙ軸方向からみて矩形状であり、第一本体部３１１に一対配置されている。この一対の第一延設部３１３は、間に蓄電素子２のガス排出弁２１７が位置するようにＹ軸方向に間隔をあけて配置されている（図３参照）。
【００４６】
第二隣接部材３２は、図１〜図４及び図６にも示すように、蓄電素子２と保持部材４との間に位置する板状の第二本体部３２１と、第二本体部３２１に隣接する蓄電素子２の該第二本体部３２１に対する相対移動を規制する第二規制部３２２と、を有する。また、第二隣接部材３２は、第二本体部３２１の周縁から延びる第二延設部３２３等も有する。
【００４７】
第二本体部３２１は、蓄電素子２のケース２１における長壁部２１４とＸ軸方向から見て重なる部位であり、Ｙ−Ｚ面方向に広がる。第二本体部３２１は、蓄電素子２と対向する面３２１１から突出する複数の第二突条３２１２を有する。この第二突条３２１２が、第二本体部３２１と隣り合う蓄電素子２（長壁部２１４の外面）に当接することによって、蓄電素子２（長壁部２１４の外面）と面３２１１との間に隙間が形成され、この隙間が流路３５を構成する。本実施形態の第二本体部３２１では、蓄電素子２側を向く面３２１１から第二突条３２１２が突出している。尚、図６の第二隣接部材３２において、流路３５、流路３５の端部の開口３５ａ、３５ｂを示しているが、これらの構成は、第二隣接部材３２に蓄電素子２が隣接している状態のときに形成される。
【００４８】
第二規制部３２２は、第二本体部３２１からＸ軸方向に延び、第二本体部３２１と隣接する蓄電素子２（詳しくはケース２１）とＹ−Ｚ面方向の外側から当接することによって該蓄電素子２の第二本体部３２１に対するＹ−Ｚ面方向への相対移動を規制する。本実施形態の第二規制部３２２は、第二本体部３２１からＸ軸方向の蓄電素子２側に向けて延びている。
【００４９】
第二延設部３２３は、第二本体部３２１のＺ軸方向の一方側の端部から、Ｚ軸方向の一方側に延び且つＸ軸方向の両側に延びる。即ち、第二延設部３２３は、Ｘ−Ｚ面に沿って広がる板状の部位である。本実施形態の第二延設部３２３は、第二本体部３２１に一対配置されている。この一対の第二延設部３２３は、Ｙ軸方向において、第一隣接部材３１の一対の第一延設部３１３と同じ位置に配置されている。即ち、一対の第二延設部３２３は、間に蓄電素子２のガス排出弁２１７が位置するようにＹ軸方向に間隔をあけて配置されている（図３参照）。
【００５０】
複数の第三隣接部材３３のそれぞれは、図１〜図４及び図７にも示すように、Ｘ軸方向に隣り合う二つの蓄電素子２の間に位置する板状の第三本体部（本体部）３３１と、第三本体部３３１に隣接する蓄電素子２の該第三本体部３３１に対する相対移動を規制する第三規制部３３２と、を有する。また、第三隣接部材３３は、第三本体部３３１の周縁から延びる第三延設部（延設部）３３３等も有する。
【００５１】
第三本体部３３１は、蓄電素子２のケース２１における長壁部２１４とＸ軸方向から見て重なる部位であり、Ｙ−Ｚ面方向に広がる。この第三本体部３３１は、Ｘ軸方向の一方側（図７の左側）の面である第一面３３１１と、Ｘ軸方向の他方側（図４の右側）の面である第二面３３１２と、を有する。
【００５２】
これら第一面３３１１と第二面３３１２とのそれぞれは、第三本体部３３１と隣り合う蓄電素子２（長壁部２１４の外面）と当接する当接部３３１１ａ、３３１２ｂと、Ｘ軸方向において前記蓄電素子２（長壁部２１４の外面）から離間する離間部３３１１ｂ、３３１２ａとを含む。これら第一面３３１１に含まれる当接部３３１１ａ及び離間部３３１１ｂと、第二面３３１２に含まれる当接部３３１２ｂ及び離間部３３１２ａとは、対応する位置に配置されている。具体的に、第一面３３１１の当接部３３１１ａは、Ｘ軸方向から見て第二面３３１２の離間部３３１２ａと重なり、第一面３３１１の離間部３３１１ｂは、Ｘ軸方向から見て第二面３３１２の当接部３３１２ｂと重なる。
【００５３】
このように第一面３３１１と第二面３３１２とのそれぞれに凹凸形状が形成され、この凹凸形状によって第三本体部３３１と該第三本体部３３１に隣接する蓄電素子２との間に流路３５が形成される。具体的には、Ｘ軸方向の第一面３３１１側において、当接部３３１１ａが、第三本体部３３１と隣り合う蓄電素子２（長壁部２１４の外面）に当接することによって、蓄電素子２（長壁部２１４の外面）と離間部３３１１ｂとの間に隙間が形成され、この隙間が流路３５を構成する。同様に、Ｘ軸方向の第二面３３１２側において、当接部３３１２ｂが、第三本体部３３１と隣り合う蓄電素子２に当接することによって、蓄電素子２（長壁部２１４の外面）と離間部３３１２ａとの間に隙間が形成され、この隙間が流路３５を構成する。尚、図７の第三隣接部材３３において、流路３５、流路３５の端部の開口３５ａ、３５ｂを示しているが、これらの構成は、第三隣接部材３３に蓄電素子２が隣接している状態のときに形成される。
【００５４】
第三規制部３３２は、第三本体部３３１からＸ軸方向に延び、第三本体部３３１と隣接する蓄電素子２（詳しくはケース２１）とＹ−Ｚ面方向の外側から当接することによって該蓄電素子２の第三本体部３３１に対するＹ−Ｚ面方向への相対移動を規制する。本実施形態の第三規制部３３２は、第三本体部３３１からＸ軸方向の両側に向けてそれぞれ延びている。
【００５５】
第三延設部３３３は、第三本体部３３１のＺ軸方向の一方側の端部から、Ｚ軸方向の一方側に延び且つＸ軸方向の両側に延びる。即ち、第三延設部３３３は、Ｘ−Ｚ面に沿って広がる板状の部位である。本実施形態の第三延設部３３３は、矩形状であり、第三本体部３３１に一対配置されている。この一対の第三延設部３３３は、Ｙ軸方向において、第一隣接部材３１の一対の第一延設部３１３、及び第二隣接部材３２の第二延設部３２３と同じ位置に配置されている。即ち、一対の第三延設部３３３は、間に蓄電素子２のガス排出弁２１７が位置するようにＹ軸方向に間隔をあけて配置されている（図３参照）。
【００５６】
以上の各隣接部材３１、３２、３３の延設部３１３、３２３、３３３は、Ｘ軸方向に連なることによって、複数の蓄電素子２の各蓋板２１６に沿ってＸ軸方向に延びる壁３６を構成する。本実施形態の蓄電装置１は、Ｙ軸方向に間隔をあけてそれぞれがＸ軸方向に延びる一対の壁３６を有する（図３参照）。
【００５７】
具体的には、図３及び図４に示すように、第一隣接部材３１を基準にしてＸ軸方向の一方側と他方側とのそれぞれにおいて、第一隣接部材３１の第一延設部３１３と、該第一隣接部材３１と蓄電素子２を介して隣り合う第三隣接部材３３の第三延設部３３３と、では、第一延設部３１３の端部に第三延設部３３３の端部が挿入されている。また、第二隣接部材３２の第二延設部３２３と、該第二隣接部材３２と蓄電素子２を介して隣り合う第三隣接部材３３の第三延設部３３３と、では、第二延設部３２３の端部が第三延設部３３３の端部に挿入されている。また、蓄電素子２を介して隣り合う第三隣接部材３３の第三延設部３３３同士では、第二隣接部材３２側の第三延設部３３３における第一隣接部材３１側の端部が、第一隣接部材３１側の第三延設部３３３における第二隣接部材３２側の端部に挿入されている。
【００５８】
以上のように各延設部３１３、３２３、３３３がＸ軸方向に連なる（接続される）ことで、Ｙ軸方向における各蓄電素子２の蓋板２１６のガス排出弁２１７を挟む位置のそれぞれにおいてＸ軸方向に延びる一対の壁３６が形成される。即ち、本実施形態の蓄電装置１では、一対の壁３６は、Ｙ軸方向に間隔をあけて互いに平行となるようにＸ軸方向に延びている。これら一対の壁３６は、蓄電素子２（ケース２１）の内部圧力の上昇によりガス排出弁２１７からガスが噴出したときの該ガスの案内路（排気路）の一部を構成する。
【００５９】
本実施形態の蓄電装置１では、これら一対の壁３６のそれぞれにおけるＹ軸方向の外側を向いた面（外側面）３６０が、上述のバスバ保持部材７の少なくとも一部の両側に位置して互いに対向する一対の対向面のうちの一方の面である。この壁３６の外側面３６０についての詳細は、後述する。
【００６０】
保持部材４は、図１〜図４、図８に示すように、複数の蓄電素子２と複数の隣接部材３との周囲を囲むことにより、これら複数の蓄電素子２及び複数の隣接部材３をひとまとめに保持する。この保持部材４は、金属等の導電性を有する部材によって構成されている。具体的に、保持部材４は、Ｘ軸方向において複数の蓄電素子２の両側に配置される一対の終端部材４０と、終端部材４０におけるＹ軸方向の端部同士を接続する接続部材４３と、を有する。また、保持部材４は、終端部材４０と接続部材４３とを固定（連結）する固定部材４８を有する。本実施形態の固定部材４８は、ボルト４８１とナット４８２である。本実施形態の蓄電装置１では、一対の接続部材４３が、一対の終端部材４０におけるＹ軸方向の両方の端部同士を接続している。
【００６１】
一対の終端部材４０のそれぞれは、Ｘ軸方向の端に配置された蓄電素子２との間に隣接部材３を挟み込むように配置される。これら一対の終端部材４０のそれぞれは、Ｙ−Ｚ面に沿って広がり且つＸ軸方向から見て蓄電素子２と重なる部位である終端部材本体４１と、終端部材本体４１から延びる延設部４２と、を有する。
【００６２】
終端部材本体４１は、蓄電素子２と対応した矩形状の部位である。延設部４２は、矩形状の終端部材本体４１における蓄電素子２の閉塞部２１２と対応する辺４１Ａから延びる部位である。この延設部４２は、蓄電装置１を設置面に固定するのに用いられる。本実施形態の終端部材４０は、Ｙ軸方向に間隔をあけて配置される二つの延設部４２を有する。
【００６３】
一対の接続部材４３は、Ｙ軸方向において複数の蓄電素子２の両側に配置される。これら一対の接続部材４３のそれぞれは、複数の蓄電素子２のそれぞれの短壁部２１５に沿ってＸ軸方向に延びる接続部材本体４４と、接続部材本体４４のＺ軸方向の他方側の端部からＹ軸方向に延び且つ複数の蓄電素子２のそれぞれの閉塞部２１２に沿って延びる第一延設部４５と、第一延設部４５からＺ軸方向の他方側に延びる第二延設部４６と、を有する。また、一対の接続部材４３のそれぞれは、接続部材本体４４のＸ軸方向の各端部から終端部材４０におけるＸ軸方向の外側を向いた面に沿ってＹ軸方向に延びる被連結部４７を有する。
【００６４】
接続部材本体４４は、Ｚ軸方向に間隔をあけてそれぞれがＸ軸方向に延びる一対の梁部４４１と、それぞれがＺ軸方向に延び且つ一対の梁部４４１の対応する（Ｚ軸方向に対向する）端部同士を接続する一対の端部接続部４４２と、それぞれがＺ軸方向に延び且つ一対の梁部４４１のＸ軸方向の途中位置におけるＺ軸方向に対向する部位同士を接続する複数の中間接続部４４３と、を有する。複数の中間接続部４４３は、Ｘ軸方向に間隔をあけて配置されている。
【００６５】
一対の梁部４４１は、蓄電素子２の蓋板２１６と短壁部２１５とによって構成されるケース２１の第一角部２１Ａ（図４参照）に沿って延びる第一梁部４４１Ａと、蓄電素子２の閉塞部２１２と短壁部２１５とによって構成されるケース２１の第二角部２１Ｂ（図４参照）に沿って延びる第二梁部４４１Ｂと、によって構成される。
【００６６】
第一梁部４４１Ａは、各蓄電素子２のケース２１の第一角部２１Ａにおける蓋板２１６に沿ってＸ軸方向に延びる第一部位４４１１と、各蓄電素子２のケース２１の第一角部２１Ａにおける短壁部２１５に沿ってＸ軸方向に延びる第二部位４４１２と、を有する。この第一梁部４４１ＡのＹ−Ｚ面に沿った断面形状は、Ｌ字状である。
【００６７】
インシュレータ５は、図１〜図４、及び図９に示すように、絶縁性を有し、接続部材４３と複数の蓄電素子２との間に配置される。このインシュレータ５は、接続部材４３における少なくとも複数の蓄電素子２と対向する領域を覆う。具体的に、インシュレータ５は、接続部材本体４３１における各蓄電素子２を向いた面を覆う本体被覆部５０と、第一延設部４３２における各蓄電素子２を向いた面を覆う第一被覆部５１と、第二延設部４３３におけるＹ軸方向の内側を向いた面を覆う第二被覆部５２と、を有する。
【００６８】
本体被覆部５０は、一対の梁部４４１と蓄電素子２との間の絶縁を図る一対の梁部被覆部５３と、一対の端部接続部４４２と蓄電素子２との絶縁を図る一対の端部被覆部５４と、複数の中間接続部４４３と蓄電素子２との絶縁を図る複数の中間被覆部５５と、を有する。各被覆部５３、５４、５５は、接続部材４３の各部位４４、４５、４６と対応する形状を有する。
【００６９】
一対の梁部被覆部５３のうちの第一梁部４４１Ａを被覆する梁部被覆部である蓋板側被覆部５３Ａは、図１０にも示すように、第一梁部４４１Ａの内側（蓄電素子２側）において、第一部位４４１１と第二部位４４１２との境界位置からＹ軸方向の内側に向けて延びると共にＸ軸方向に延びることで、第一部位４４１１における蓋板２１６側を向いた面を覆う第一内側部５３１と、第一内側部５３１のＹ軸方向の先端からＺ軸方向の一方側に延びると共にＸ軸方向に延びることで、第一部位４４１１のＹ軸方向の先端面を覆う先端部５３２と、先端部５３２のＺ軸方向の一方側の端からＹ軸方向の外側に延びると共にＸ軸方向に延びることで、第一部位４４１１の外側（蓋板２１６側とは反対の側）を向いた面を覆う外側部５３３と、を有する。また、蓋板側被覆部５３Ａは、第一内側部５３１のＹ軸方向の外側の端（第一部位４４１１と第二部位４４１２との境界位置）からＺ軸方向の他方側に延びると共にＸ軸方向に延びることで第二部位４４１２における短壁部２１５側を向いた面を覆う第二内側部５３４も有する。
【００７０】
一対の梁部被覆部５３のうちの第二梁部４４２Ｂを被覆する梁部被覆部である閉塞部側被覆部５３Ｂは、Ｘ軸方向に延び且つ第二梁部４４２Ｂにおける蓄電素子２側の面を覆う。
【００７１】
一対の端部被覆部５４のそれぞれは、Ｚ軸方向に延び且つ端部接続部４４２における蓄電素子２側を向いた面を覆う。
【００７２】
複数の中間被覆部５５のそれぞれは、Ｚ軸方向に延び且つ中間接続部４４３における蓄電素子２側を向いた面を覆う。
【００７３】
本実施形態の蓄電装置１では、以上のように構成されるインシュレータ５における蓋板側被覆部５３Ａの先端部５３２のＹ軸方向の内側を向いた面（内側面）５３２Ａが、上述のバスバ保持部材７の少なくとも一部の両側に位置して互いに対向する一対の対向面のうちの他方の面である。
【００７４】
ここで、上述のバスバ保持部材７の少なくとも一部の両側に位置して互いに対向する一対の対向面について、図１１〜図１３も参照しつつ詳細に説明する。
【００７５】
本実施形態の蓄電装置１において、前記一対の対向面は、壁３６の外側面３６０と、インシュレータ５における先端部５３２のＹ軸方向の内側を向いた面（内側面）５３２Ａと、である。これら外側面３６０と内側面５３２Ａとは、図３に示すように、バスバ６をＹ軸方向に挟む位置（即ち、Ｙ軸方向の両側の位置）において、各蓄電素子２の蓋板２１６に沿ってＸ軸方向に延びている。本実施形態の蓄電装置１において、外側面３６０と内側面５３２Ａとは、Ｙ軸方向の一方側の端部でＸ軸方向に並ぶ各バスバ６を挟んだ位置と、Ｙ軸方向の他方側の端部でＸ軸方向に並ぶ各バスバ６を挟んだ位置と、のそれぞれにおいてＸ軸方向に延びている。即ち、本実施形態の蓄電装置１は、外側面３６０と内側面５３２Ａとによって構成される一対の対向面（詳しくは、バスバ保持部材７の少なくとも一部の両側に位置して互いに対向する一対の対向面）を二対備える。
【００７６】
内側面５３２Ａは、単一の部材（インシュレータ５の蓋板側被覆部５３Ａ）におけるＹ軸方向の内側を向いた面によって形成されている。この内側面５３２ＡのＺ軸方向の寸法は、外側面３６０のＺ軸方向の寸法より小さい（図１３参照）。また、内側面５３２Ａは、外側面３６０におけるＺ軸方向の他方側の端部と対向している。
【００７７】
外側面３６０は、各延設部３１３、３２３、３３３におけるＹ軸方向の外側を向いた面（端面）がＸ軸方向に連なることによって形成されている。この外側面３６０は、Ｙ軸方向において、内側面５３２Ａに向けて突出する凸部３３５を有する。
【００７８】
凸部３３５は、バスバ保持部材７と係合する部位であり、第三隣接部材３３の第三延設部３３３におけるＹ軸方向の外側を向いた面（外面）に配置されている。即ち、第三隣接部材３３は、凸部３３５を有する。この凸部３３５は、Ｚ軸方向に沿って外側面３６０の一方側の端部から他方側に向けて延びている。具体的に、凸部３３５は、Ｚ軸方向において、外側面３６０の一方側の端部から内側面５３２Ａの一方側の端縁位置よりも手前の位置まで延びている（図１２参照）。即ち、凸部３３５は、Ｙ軸方向から見て内側面５３２Ａと重ならない。また、凸部３３５のＹ軸方向外側の端縁は、Ｚ軸方向の他方側に向かうにつれてＹ軸方向の外側（内側面５３２Ａ側）に変位するようにＺ軸に対して僅かに傾斜している（図１３参照）。
【００７９】
本実施形態の外側面３６０は、複数の凸部３３５を有する。これら複数の凸部３３５は、Ｘ軸方向に間隔をあけて並んでいる。本実施形態の蓄電装置１では、凸部３３５が複数の第三延設部３３３（詳しくは、各第三延設部３３３におけるＹ軸方向の外側を向いた面）のそれぞれに形成されている。
【００８０】
バスバ保持部材７は、図１、図２、及び図１１〜図１３に示すように、複数のバスバ６を保持した状態で、複数の蓄電素子２に沿った位置に取り付けられている。このバスバ保持部材７は、Ｘ−Ｙ面に沿って広がっている部材であり、バスバ６を保持し且つＺ軸方向の両側が開口する保持部７１と、保持部７１におけるＺ軸方向の一方側の開口を塞ぐ蓋部７２と、を有する。また、バスバ保持部材７は、弾性変形した状態で、上述の一対の対向面（本実施形態の例では、外側面３６０と内側面５３２Ａ）のうちの一方の面と当接している弾性変形部７３を有する。本実施形態のバスバ保持部材７は、樹脂製である。
【００８１】
保持部７１は、筒状の部位を有し、バスバ６の周囲を囲んだ状態で該バスバ６を保持する。具体的に、保持部７１は、Ｚ軸方向から見て矩形状の部位であり、バスバ６の周縁部を囲う角筒部７１１と、角筒部７１１からＹ軸方向の外側に延びる他の部位７１２と、を有する。
【００８２】
他の部位７１２は、角筒部７１１のＺ軸方向における他方側の端縁から一方側に所定距離ずれた位置からＹ軸方向の外側に延びる（図１３参照）。
【００８３】
また、角筒部７１１は、Ｚ軸方向の他方側の開口周縁部（前記他方側の端部）から内側に向けて延び且つ前記他方側の開口の周方向に延びる支持部７１１ａと、Ｚ軸方向において該支持部７１１ａと所定の間隔（バスバ６の厚さと対応する間隔）をあけて内周面より内側に突出する爪部７１１ｂと、を有する。そして、角筒部７１１は、Ｚ軸方向において支持部７１１ａと爪部７１１ｂとの間にバスバ６の周縁部が配置されることで該バスバ６を保持する。
【００８４】
この角筒部７１１は、Ｙ軸方向の外側の壁を内側面５３２Ａに当接させた状態で外側面３６０と内側面５３２Ａとの間に配置されている。即ち、本実施形態の蓄電装置１において、角筒部７１１は、上述の一対の対向面（本実施形態の例では、外側面３６０と内側面５３２Ａ）の間に位置するバスバ保持部材７の一部である。角筒部７１１のＹ軸方向の寸法は、外側面３６０と内側面５３２ＡとのＹ軸方向の間隔より小さい（図１３参照）。
【００８５】
本実施形態の蓄電装置１では、複数のバスバ６が配置されているため、バスバ保持部材７は、複数（バスバ６の数と対応する数）の保持部７１を有する。具体的に、複数の保持部７１は、蓄電装置１におけるＹ軸方向の一方側の端部においてＸ軸方向に並ぶことにより、該端部においてＸ軸方向に並ぶ複数のバスバ６のそれぞれを個別に保持する。また、複数の保持部７１は、Ｙ軸方向の他方側の端部でＸ軸方向に並ぶことにより、該端部においてＸ軸に並ぶ複数のバスバ６のそれぞれを個別に保持する。
【００８６】
Ｘ軸方向に隣り合う保持部７１同士は、連結されている。本実施形態のバスバ保持部材７では、蓄電装置１のＹ軸方向の一方側の端部においてＸ軸方向に連なる保持部７１の列と、Ｙ軸方向の他方側の端部においてＸ軸方向に連なる保持部７１の列と、は、接続されている、即ち、一体である。尚、バスバ保持部材７は、この構成に限定されない。前記Ｙ軸方向の一方側の端部においてＸ軸方向に連なる保持部７１の列と、前記Ｙ軸方向の他方側の端部においてＸ軸方向に連なる保持部７１の列とは、分離していても（別体であっても）よい。
【００８７】
蓋部７２は、保持部７１のＺ軸方向の一方側の開口を開閉可能に塞ぐ。この蓋部７２は、Ｚ軸方向から見てＸ軸方向に長尺な矩形板状である。本実施形態のバスバ保持部材７は、複数の蓋部７２を有する。これら複数の蓋部７２のそれぞれは、一つの保持部７１の開口、又はＸ軸方向に並ぶ複数の保持部７１の開口を塞ぐ。
【００８８】
弾性変形部７３は、弾性変形に起因する弾性力によってバスバ保持部材７の一部（保持部７１の角筒部７１１）を内側面５３２Ａに向けて押圧する。この弾性変形部７３は、図１４及び図１５にも示すように、保持部７１（角筒部７１１）における外側面３６０と対向する壁７１１ｃから延びる弾性変形可能な部位である。具体的に、弾性変形部７３は、長尺な板状の部位であり、壁７１１ｃから該壁７１１ｃ（Ｚ軸方向）に対して傾斜した方向に延びる傾斜部７３１と、傾斜部７３１の先端から延び且つ外側面３６０の凸部３３５と係合する係合部７３２と、を有する。
【００８９】
傾斜部７３１は、Ｚ軸方向の一方側に向かうにつれて壁７１１ｃから離れるように該壁７１１ｃ（Ｚ軸方向）に対して傾斜方向に延びている。この傾斜部７３１は、先端に壁７１１ｃ側に向かう力が加わることで全体が撓むように弾性変形する（図１５参照）。本実施形態の蓄電装置１では、傾斜部７３１が撓んだ状態（弾性変形部７３が弾性変形した状態）で係合部７３２が外側面３６０の凸部３３５と係合している。即ち、弾性変形部７３は、Ｙ軸方向の外側に向けた力が外側面３６０から傾斜部７３１の先端に対して加わっている状態である。この状態では、傾斜部７３１の先端が初期位置（傾斜部７３１に力が加わっていない状態での壁７１１ｃに対する傾斜部７３１の先端の位置）に戻ろうとする力（弾性変形に起因する弾性力）が傾斜部７３１において生じている。このため、壁７１１ｃ（保持部７１）が弾性変形部７３によって内側面５３２Ａ側に押圧される。このとき、角筒部７１１が内側面５３２Ａに当接しているため、Ｙ軸方向の外側への移動が規制され、これにより、角筒部７１１（バスバ保持部材７）が、内側面５３２Ａに向けて押圧されている状態となっている。
【００９０】
係合部７３２は、凸部３３５に対してＸ軸方向の両側又は片側に位置する第一規制部７３２１と、凸部３３５に対してＺ軸方向の両側又は片側に位置する第二規制部７３２２と、を有する。具体的に、係合部７３２は、傾斜部７３１の先端から延びる板状の部位であり、先端から基端側（傾斜部７３１の先端側：図１４における下側）に向けて延びる切り欠き７３３を有する。
【００９１】
この切り欠き７３３は、凸部３３５におけるＺ軸方向の他方側部位(他方側の端部を含む部位）と対応する形状を有する。詳しくは、切り欠き７３３は、Ｘ軸方向において、凸部のＸ軸方向の寸法と対応する（図１２に示す例では、僅かに大きな）間隔をあけた位置で係合部７３２の先端から基端側に向けて延びる一対の第一規制部７３２１と、凸部３３５のＺ軸方向の他方側の端部と対応する形状を有し（図１２に示す例では、Ｘ軸方向に延び）且つ一対の第一規制部７３２１の基端側の端部同士をつなぐ第二規制部７３２２と、によって規定されている。
【００９２】
この切り欠き７３３に凸部３３５が嵌まり込むことで、係合部７３２と凸部３３５とが係合する。このとき、凸部３３５のＸ軸方向の両端部のそれぞれは、一対の第一規制部７３２１のうちの対応する第一規制部７３２１と当接し、又は、接近した状態で対向する。また、凸部３３５のＺ軸方向の他方側の端部が、第二規制部７３２２と当接した状態で対向する。また、係合部７３２と凸部３３５とが係合した状態では、蓄電装置１において、バスバ保持部材７が隣接部材３（詳しくは、各隣接部材３の規制部３１２、３２２、３３２等）を介して複数の蓄電素子２とＺ軸方向において対向した状態となっている。
【００９３】
以上のように構成される弾性変形部７３は、Ｘ軸方向に間隔をあけて複数配置されている。本実施形態のバスバ保持部材７では、弾性変形部７３は、全ての保持部７１に配置されるのではなく、Ｘ軸方向に並ぶ保持部７１の列において、例えば、一つ置きや二つ置きに配置されている。
【００９４】
以上の蓄電装置１によれば、バスバ保持部材７と隣接部材３又はインシュレータ７との間隔に製造誤差等が生じていても、弾性変形部７３がその弾性変形によって前記製造誤差を吸収した上で、該弾性変形に起因する弾性力によって隣接部材３又はインシュレータ７に向けてバスバ保持部材７を押圧することができる。より具体的に、一対の対向面（本実施形態の例では、外側面３６０及び内側面５３２Ａ）の間隔に製造誤差や組み立て誤差等が生じていても、バスバ保持部材７が有する弾性変形部７３がその弾性変形によって前記製造誤差や組み立て誤差等を吸収した上で、該弾性変形に起因する弾性力によって一対の対向面３６０、５３２Ａのうちの他方の面（本実施形態の例では、内側面５３２Ａ）に向けてバスバ保持部材７の少なくとも一部（一対の対向面の間に配置されている部位：本実施形態の例では、角筒部７１１）を押圧することができる。このため、前記製造誤差や組み立て誤差等の有無にかかわらず、Ｙ軸方向（一対の対向面３６０、５３２Ａの対向する方向）におけるバスバ保持部材７のがたつきが抑えられる。
【００９５】
また、本実施形態の蓄電装置１では、弾性変形部７３が、該弾性変形部７３に凸部３３５が係合した状態で該凸部３３５に対してＸ軸方向の両側に位置する一対の第一規制部７３２１を有する。このため、バスバ保持部材７がＸ軸方向の両側のそれぞれに移動し又は移動しようとしたときに、凸部３３５の第一規制部７３２１との当接によってバスバ保持部材７のＸ軸方向への移動が規制される。即ち、Ｙ軸方向のがたつきを抑える弾性変形部７３を利用してＸ軸方向におけるバスバ保持部材７のがたつきも抑えられる。
【００９６】
また、本実施形態の蓄電装置１では、弾性変形部７３が、該弾性変形部７３に凸部３３５が係合した状態で該凸部３３５に対してＺ軸方向の他方側に位置する第二規制部７３２２を有する。このため、バスバ保持部材７がＺ軸方向の一方側に移動し又は移動しようとしたときに、凸部３３５の第二規制部７３２２との当接によってバスバ保持部材７のＺ軸方向の一方側への移動が規制される。即ち、Ｙ軸方向のがたつきを抑える弾性変形部７３を利用してＺ軸方向におけるバスバ保持部材７のがたつきも抑えられる。
【００９７】
また、本実施形態の蓄電装置１では、弾性変形部７３が弾性変形した状態で当接している外側面３６０、及び、弾性変形部７３の弾性力によってバスバ保持部材７（保持部７１）が押しつけられている内側面５３２Ａのそれぞれが、部材間に挟まれて強固に位置決めされた部材（具体的には、二つの蓄電素子２の間に挟まれている第三隣接部材３３、及び、複数の蓄電素子２と保持部材４との間に挟まれているインシュレータ（絶縁部材）５）に含まれる面３６０、５３２Ａである。このため、Ｙ軸方向におけるバスバ保持部材７のがたつきが十分に抑えられる。
【００９８】
また、本実施形態の蓄電装置１では、バスバ６が蓄電素子２の外部端子２２に溶接される際に、各蓄電素子２の外部端子２２に対するバスバ６の正確な位置決めができる。
【００９９】
具体的には、保持部材４に保持された状態の複数の蓄電素子２に対し、一対の対向面（外側面３６０と内側面５３２Ａ）の間にバスバ保持部材７の一部（角筒部７１１）が嵌まり込むように、複数のバスバ６を保持した状態のバスバ保持部材７が複数の蓄電素子２に沿った位置に取り付けられる。
【０１００】
このとき、弾性変形部７３が弾性変形して係合部７３２が凸部３３５と係合することで、前記弾性変形に起因する弾性力によってバスバ保持部材７（角筒部７１１）が内側面５３２Ａに押圧される。このため、バスバ保持部材７が各蓄電素子２に対してＹ軸方向において正確に位置決めされる。これにより、各蓄電素子２の外部端子２２に対し、対応するバスバ６がＹ軸方向において正確に位置決めされる。
【０１０１】
また、係合部７３２が凸部３３５と係合して該凸部３３５のＸ軸方向の両側に第一規制部７３２１がそれぞれ位置した状態（即ち、凸部３３５が一対の第一規制部７３２１の間に挟まれた状態）となることで、バスバ保持部材７が各蓄電素子２に対してＸ軸方向において正確に位置決めされる。これにより、各蓄電素子２の外部端子２２に対し、対応するバスバ６がＸ軸方向において正確に位置決めされる。
【０１０２】
さらに、凸部３３５よりＺ軸方向の他方側に第二規制部７３２２が位置した状態となるまで複数の蓄電素子２に向けてバスバ保持部材７が押し込まれ（押圧され）、係合部７３２が凸部３３５と係合することで、バスバ保持部材７が各蓄電素子２に対してＺ軸方向において正確に位置決めされる。これにより、各蓄電素子２の外部端子２２に対し、対応するバスバ６がＺ軸方向において正確に位置決めされる。
【０１０３】
以上のように、複数のバスバ６を保持した状態のバスバ保持部材７が複数の蓄電素子２に沿った位置に取り付けられることで、各蓄電素子２の外部端子２２に対し、Ｘ軸方向、Ｙ軸方向、及びＺ軸方向の全ての方向において、対応するバスバ６が正確に位置決めされた状態となる。これにより、バスバ６が各外部端子２２に溶接される際の外部端子２２に対するバスバ６の位置ずれが抑えられ、その結果、前記位置ずれに起因する溶接不良の発生が抑えられる。
【０１０４】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【０１０５】
バスバ保持部材７における弾性変形部７３の具体的な構成は、限定されない。例えば、弾性変形部７３が角筒部７７１の一部（壁７１１ｃ）も含む構成であってもよい。具体的には、図１６（Ａ）〜図１７（Ｂ）に示すように、弾性変形部７３の係合部７３２が外側面３６０の凸部３３５と係合することによって、壁７１１ｃの傾斜部７３１との接続部がＹ軸方向の外側に押され、これにより、壁７１１ｃが弾性変形する。この弾性変形により生じた弾性力によって、バスバ保持部材７が内側面５３２Ａに押し付けられる。
【０１０６】
また、上記実施形態の弾性変形部７３は、バスバ保持部材７の一部であるが、この構成に限定されない。弾性変形部７３は、バスバ保持部材７以外の部材の一部であってもよく、独立の部材であってもよい。例えば、図１８及び図１９に示すように、弾性変形部７３Ａは、壁部３６（隣接部材３）に設けられてもよい。また、図２０及び図２１に、弾性変形部７３Ｂは、蓋板側被覆部５３Ａ（インシュレータ５）に設けられてもよい。例えば具体的には、バスバ保持部材７が配置されていない状態の弾性変形部７３Ｂ（先端部５３２）は、Ｙ軸方向の内側に向けて凸となるように湾曲し、バスバ保持部材７が配置されたときに、角筒部７１１に押されて弾性変形する。これにより、弾性変形部７３Ｂが前記弾性変形によって生じた弾性力によって角筒部７１１を外側面３６０に押圧する。
【０１０７】
また、弾性変形部７３Ｂは、図２０及び図２１に示すように、バスバ保持部材７の少なくとも一部の両側に位置する一対の対向面をその表面に含む構成でもよい。
【０１０８】
即ち、バスバ保持部材７が蓄電装置１において複数の蓄電素子２に沿った位置に組み付けられた状態において、弾性変形部７３、７３Ａ、７３Ｂは、バスバ保持部材７の少なくとも一部を一対の対向面のうちの一方の面に向けて押圧する構成であればよい。
【０１０９】
上記実施形態の蓄電装置１では、バスバ保持部材７の少なくとも一部の両側に配置される一対の対向面のうちの一方の面（上記実施形態の例では、外側面３６０）と他方の面（上記実施形態の例では、内側面５３２Ａ）とは、異なる部材（上記実施形態の例では、第三隣接部材３３とインシュレータ５と）に含まれているがこの構成に限定されない。前記一対の対向面のそれぞれは、同じ部材（共通の部材）に含まれていてもよい。また、前記一対の対向面のそれぞれは、隣接部材３及びインシュレータ５以外の部材に含まれていてもよい。
【０１１０】
また、上記実施形態の蓄電装置１では、弾性変形部７３が弾性変形した状態で外側面３６０に当接し、且つ、角筒部７１１が内側面５３２Ａに当接しているが、この構成に限定されない。弾性変形部７３が弾性変形した状態で内側面５３２Ａに当接し、且つ、角筒部７１１が外側面３６０に当接する構成であってもよい。
【０１１１】
また、上記実施形態の蓄電装置１では、バスバ保持部材７の少なくとも一部の両側に配置される一対の対向面がＹ軸方向に対向しているが、この構成に限定されない。一対の対向面の対向する方向は、いずれの方向であってもよい。即ち、一対の対向面の対向方向は、Ｘ軸方向やＺ軸方向でもよく、上記実施形態で用いた直交座標系の各軸方向と一致していなくてもよい。
【０１１２】
また、上記実施形態の蓄電装置１では、バスバ保持部材７の一部７１１が一対の対向面３６０、５３２Ａの間に位置しているが、この構成に限定されない。バスバ保持部材３の全体が一対の対向面３６０、５３２Ａの間に位置する構成でもよい。
【０１１３】
上記実施形態の弾性変形部７３の係合部７３２では、凸部３３５と係合した状態のときに、第二規制部７３２２がＺ軸方向の他方側にのみ存在するが、この構成に限定されない。例えば、係合部７３２に凸部３３５が嵌まり込む穴等を設けるなどによって、第二規制部７３２２が凸部３３５のＺ方向の一方側に存在する構成でもよい。この場合、第二規制部７３２２は、Ｚ軸方向の両側に設けられてもよく、一方側のみに設けられてもよい。
【０１１４】
また、上記実施形態の弾性変形部７３では、係合部７３２が第一規制部７３２１を一対有しているが、この構成に限定されない。第一規制部７３２１が、凸部３３５の片側に一つ設けられる構成でもよい。例えば、第一規制部７３２１が凸部３３５に対しＸ軸方向の一方側にのみ設けられている構成の場合、バスバ保持部材７がＸ軸方向の一方側に移動し又は移動しようとしたときに、凸部３３５の第一規制部７３２１との当接により、Ｘ軸方向の一方側への移動が規制される。これにより、第一規制部７３２１がない構成に比べ、バスバ保持部材７のＸ軸方向のがたつきが抑えられる。
【図１】
2019245022.tif 000003
【図２】
2019245022.tif 000004
【図３】
2019245022.tif 000005
【図４】
2019245022.tif 000006
【図５】
2019245022.tif 000007
【図６】
2019245022.tif 000008
【図７】
2019245022.tif 000009
【図８】
2019245022.tif 000010
【図９】
2019245022.tif 000011
【図１０】
2019245022.tif 000012
【図１１】
2019245022.tif 000013
【図１２】
2019245022.tif 000014
【図１３】
2019245022.tif 000015
【図１４】
2019245022.tif 000016
【図１５】
2019245022.tif 000017
【図１６Ａ】
2019245022.tif 000018
【図１６Ｂ】
2019245022.tif 000019
【図１７Ａ】
2019245022.tif 000020
【図１７Ｂ】
2019245022.tif 000021
【図１８】
2019245022.tif 000022
【図１９】
2019245022.tif 000023
【図２０】
2019245022.tif 000024
【図２１】
2019245022.tif 000025
【図２２】
2019245022.tif 000026
【国際調査報告】
2019245022.tif 000027
2019245022.tif 000028
2019245022.tif 000029
2019245022.tif 000030